(57)【特許請求の範囲】
【請求項１】
上面開口部を有する容器本体内に内在されて、該容器本体内を上部空間と下部空間に区画する除湿器用の受け皿であって、
受け皿本体は、粒状の潮解性除湿剤が前記下部空間側に通過しない程度に前記容器周壁の内面との間隔を有して該内面に沿う平面視形状に形成された周囲縁部を備え、該周囲縁部に、皿表面より低く形成された段差部を備え、
前記段差部は、該段差部に前記潮解性除湿剤が落ち込み可能で且つ当該段差部の幅が前記潮解性除湿剤の粒径よりも狭く設定されていることを特徴とする除湿器用受け皿。
【請求項２】
請求項１に記載の除湿器用受け皿が内在される除湿器用容器であって、
前記容器本体の前記容器周壁の内面に、前記受け皿本体の浮き上がりを防ぐ係止部を備え、
前記係止部は、前記受け皿本体の前記周囲縁部が前記容器本体内の支持縦リブの上端に載承されたときに、前記周囲縁部の前記段差部が係止される前記容器本体の内面高さ位置に設けられていることを特徴する除湿器用容器。
【発明の詳細な説明】
【技術分野】
【０００１】
本発明は、空気中の湿気を潮解性除湿剤で吸湿して空間の湿度を下げ、湿度を低く保つ、押入れ、タンス、下駄箱その他の収納空間などにおいて使用される除湿器用の受け皿および容器に関する。
【背景技術】
【０００２】
除湿器は、上面開口部を有する容器内の中高部位に受け皿に内在させて、上部空間と下部空間に区画し、上部空間に潮解性除湿剤を収容し、下部空間に潮解性除湿剤の潮解液が受け皿の滴下孔から滴下して貯溜されるように形成されている（例えば、特許文献１などを参照）。
そして、容器の上面開口部は透湿非透水性シートによって塞がれ、さらにこの透湿性シートの上には密封シート（防湿性シート）が剥離可能に貼着されている。
【０００３】
このように構成されている除湿器の受け皿本体と容器本体は、所望な合成樹脂材料などによってそれぞれ形成されている。
そして、受け皿本体は、容器本体の中高部位における横断内面形状に沿う周囲縁部を有する平面視形状に形成されているとともに、多数の滴下孔を備えて、容器本体の上部空間に収容されている潮解性除湿剤の潮解液が滴下孔から下部空間に滴下されるようになっている。その一例を図１および図２に示す。
図１および図２に示されているように、受け皿本体Ａ１は、容器本体Ｂ１の中高部位における容器周壁ｂ１の横断内面形状に沿う周囲縁部１００を有する平面視形状に形成されている。そして、受け皿本体Ａ１は、周囲縁部１００に沿う平坦な第１の支持面部２００と、この第１の支持面部２００の内側に一段高い段状に設けられる第２の支持面部３００と、さらに内側の中央部位において略截頭錐体形状に突設される突出部４００とからなり、それら各部には滴下孔５００が多数設けられている。
【先行技術文献】
【特許文献】
【０００４】
【特許文献１】特開２００１−２４０１１７号公報（段落番号００１０、および図１）
【発明の概要】
【発明が解決しようとする課題】
【０００５】
ところで、受け皿本体Ａ１は、図２に示されているように、容器本体Ｂ１の内面要所に設けられている支持縦リブ６００の上端に周囲縁部１００を載承させて容器本体Ｂ１内の中高部位に組み込み内在される。そのために、受け皿本体Ａ１の周囲縁部１００は、上面開口部から容器本体Ｂ１内に受け皿本体Ａ１を簡易に組み込み内在し得るように、ラフな寸法を有する平面視形状に形成されている。
【０００６】
しかしながら、粒状の潮解性除湿剤Ｃの粒形と粒径は不規則であるために、小粒の潮解性除湿剤が、図２に示されているように、受け皿本体Ａ１の周囲縁部１００と容器本体Ｂ１の内面との間に生じる隙間Ｓを通過して容器本体Ｂ１の下部空間Ｍ側へ落下してしまうなどの問題を引き起こすおそれがあった。この落下は、特に、製造メーカから販売店などへの流通時において、トラックなどの運送車から受ける振動などによって引き起こされている。
【０００７】
また、潮解性除湿剤の下部空間側への落下は、受け皿本体がトラックなどの運送車から受ける上下方向の振動などによって浮き上ることで、前記の隙間が広がって引き起こす。つまり、図２に示されている従来技術では、周囲縁部を容器本体内の支持縦リブの上端に載承させた支持構造のみにて、容器本体内の中高部位に受け皿本体を内在させてその上（上部空間）に潮解性除湿剤を収納させている。そのために、支持縦リブの上端から周囲縁部が離脱するように受け皿本体が浮き上り、潮解性除湿剤が下部空間側に落下する。
【０００８】
そこで、本発明は、前記課題を解消するために創案されたものであり、受け皿本体で区画された容器本体の上部空間に収容されている潮解性除湿剤が下部空間側へ落下することを防ぐ除湿器用受け皿および容器を提供することにある。
【課題を解決するための手段】
【０００９】
前記課題を解決するために、本発明は、上面開口部を有する容器本体内に内在されて、該容器本体内を上部空間と下部空間に区画する除湿器用の受け皿であって、受け皿本体は、粒状の潮解性除湿剤が前記下部空間側に通過しない程度に前記容器周壁の内面との間隔を有して該内面に沿う平面視形状に形成された周囲縁部を備え、該周囲縁部に、皿表面より低く形成された段差部を備え、前記段差部は、該段差部に前記潮解性除湿剤が落ち込み可能で且つ当該段差部の幅が前記潮解性除湿剤の粒径よりも狭く設定されていることを特徴とする。
【００１０】
また、本発明では、除湿器用の前記受け皿本体が内在される除湿器用の容器であって、前記容器本体の内面に、前記受け皿本体の浮き上がりを防ぐ係止部を備え、前記係止部は、前記受け皿本体の前記周囲縁部が前記容器本体の内面要所に設けられている支持縦リブの上端に載承されたときに、前記周囲縁部の前記段差部が係止される前記容器本体の内面高さ位置に設けられていることを特徴する。
【発明の効果】
【００１１】
本発明の除湿器用受け皿によれば、容器本体の内面に沿う周囲縁部に備えた段差部にて粒状の潮解性除湿剤を受け止めて、潮解性除湿剤が容器本体の下部空間側に落下することを防ぐことができる。
そして、段差部に受け止められた潮解性除湿剤が、周囲縁部と容器本体の内面（容器周壁）との隙間を埋める目地材的な作用を成すことで、受け皿本体を安定よく容器本体内に内在させて、より確実に潮解性除湿剤の下部空間側への落下を防ぐことが期待できる。
【００１２】
また、本発明の除湿器用容器によれば、容器本体の内面に設けた係止部によって支持縦リブの上端に載承される受け皿本体の周囲縁部を、段差部を介して受け止めることができる。つまり、周囲縁部を支持縦リブと係止部とによる挟持状態にて容器本体内の中高部位に内在させることができる。
これにより、受け皿本体が流通時の振動などによって浮き上ることを防いで、潮解性除湿剤が容器本体の下部空間側に落下することを防ぐことができる。
【００１３】
このように、本発明によれば、容器本体の上部空間に収容されている潮解性吸湿材が下部空間側に落下することを防ぐことができるので、潮解性吸湿材が下部空間側に落下しているなどによる消費者に与える商品イメージの低下を防いで、品質と信頼性の向上が図られた除湿器の製造を可能とする受け皿および容器を提供することができる。
【図面の簡単な説明】
【００１４】
【図１】従来例の受け皿を示す斜視図である。
【図２】従来例の受け皿および容器が適用された除湿器を示す縦断面図である。
【図３】本実施形態に係る受け皿および容器を適用させた除湿器を示す縦断面図である。
【図４】本実施形態に係る受け皿を示す斜視図である。
【図５】本実施形態に係る容器を示す斜視図である。
【図６】同容器内に受け皿本体を内在させた状態を示す斜視図である。
【図７】容器内の支持縦リブに対する受け皿本体（周囲縁部）の載承係止状態を示す同縦断面図である。
【発明を実施するための形態】
【００１５】
以下、本発明の実施形態について、適宜図面を参照しながら詳細に説明する。
図１は、本実施形態に係る受け皿および容器を適用させた除湿器を示す縦断面図である。
【００１６】
≪除湿器の構成≫
除湿器は、図３に示すように、上面開口部１０を有する容器本体Ｂと、この容器本体Ｂ内の中高部位に内在されて容器本体Ｂ内を上部空間Ｎと下部空間Ｍに区画する簀の子状の受け皿本体Ａと、上面開口部１０を塞ぐ透湿非透水性シート（以後、単に「透湿性シート」と称する）６および密封シート７とを備えて構成されている。
また、除湿器は、透湿性シート６および密封シート７を保護する蓋体８を容器本体Ｂの上面開口部１０に着脱自在に備えている。
このように構成されている除湿器は、容器本体Ｂ内の上部空間Ｎに粒状の潮解性除湿剤Ｃが収容され、消費者（使用者）が使用するときに、密封シート７を透湿性シート６の上から取り剥がすことで、空気中の湿気が透湿性シート６を通過して容器本体Ｂ内に流入し、潮解性除湿剤Ｃに吸湿されるようになっている。
ちなみに、潮解性除湿剤Ｃは、例えば、顆粒状の塩化カルシウム、塩化マグネシウム、酢酸カリウム、塩化ナトリウムなどからなり、空気中の湿気を吸収して潮解液（水溶液）へと変化されるものである。
【００１７】
≪受け皿本体の構成≫
図４は、本実施形態に係る受け皿を示す斜視図である。ここでは、図３を適宜参照しながら説明する。
受け皿本体Ａは、合成樹脂材料などによって、図３および図４に示すように、容器本体Ｂの中高部位における容器周壁ｂの横断内面形状に沿う周囲縁部１を有する平面視形状に形成されている。
そして、受け皿本体Ａは、周囲縁部１に沿う平坦な第１の支持面部２と、この第１の支持面部２の内側において一段高い段状に設けられる第２の支持面部３と、さらに内側の中央部位において容器Ｂの上部開口部１０の開口位置より低い高さにて略截頭錐体形状に突出される突出部４とから形成され、それら各部には滴下孔５が多数設けられている。
【００１８】
周囲縁部１は、図３に示すように、粒状の潮解性除湿剤Ｃが下部空間Ｍ側に通過しない程度にて容器周壁ｂの内面に沿う平面視形状に形成されている。すなわち、周囲縁部１と容器周壁ｂの内面との間に生じる隙間Ｓが、潮解性除湿剤Ｃの粒径よりも狭くなる外輪郭寸法にて周囲縁部１は形成されている。
【００１９】
そして、このように形成されている受け皿本体Ａの周囲縁部１には、第１の支持面部２の皿表面より低く形成されている段差部９が備えられている。
【００２０】
≪段差部の構成≫
段差部９は、製造メーカから販売店などへ除湿剤が流通されるときのトラックなどの運送車から受ける振動などによって、容器本体Ｂの上部空間Ｎに収容されている潮解性除湿剤Ｃが、下部空間Ｍ側へ落下することを防ぐべく、図３に示すように、容器周壁ｂの内面との間で潮解性除湿剤Ｃを受け止める役目を成すものである。
この段差部９は、段底幅Ｌ１や第１の支持面部２から段差深さ（高低差）Ｌ２について限定されるものではないが、例えば、段底幅Ｌ１を潮解性除湿剤Ｃの粒径よりも狭く設定することが好適なものとなる。
このように、段差部９の段底幅Ｌ１を設定することによって、図３に示す拡大図のように、段差部９に落ち込んだ潮解性除湿剤Ｃを容器周壁ｂの内面との間で潮解性除湿剤Ｃを受け止めて、容器本体Ｂの下部空間Ｍ側への落下を防ぐことができる。また、段差部９に落ち込んで受け止められる潮解性除湿剤Ｃが、周囲縁部１と容器周壁ｂの内面との間を埋める目地材的な作用を成すことで、受け皿本体Ａを安定よく容器本体Ｂ内に内在させて、より確実に潮解性除湿剤Ｃの下部空間Ｍ側への落下を防ぐことができる。
【００２１】
≪容器本体の構成≫
図５は、本実施形態に係る容器本体を示す斜視図であり、図６は、受け皿本体を内在させた状態の同斜視図であり、図７は、図６の縦断側面図である。
容器本体Ｂは、透明または半透明などの透視可能な合成樹脂材料を用いた射出成形によって、上面開口部１０を有する平面視で略長方形状に形成されている。
そして、容器本体Ｂは、図５および図７に示すように、容器周壁ｂの両長辺壁部ｂ−１，ｂ−２のうち、一方側の長辺壁部ｂ−１に、平面視で容器本体Ｂの内側に凹設させた内向き凹形壁部１１を備え、他方側の長辺壁部ｂ−２には平面視で容器本体Ｂの外側に凸設させた外向き凸形壁部１２を備えている。
【００２２】
また、容器本体Ｂは、容器周壁ｂの内面要所に支持縦リブ１３を複数備えている。
この支持縦リブ１３は、図５および図７に示すように、容器底壁から容器周壁ｂの高さ方向略途中部位（中高部位）へと延びるように形成され、その上端には切欠き部１４を備えている。
【００２３】
切欠き部１４は、図７に示すように、容器周壁ｂの内面から補強リブ１３の上端に至るように略Ｌ字形状に形成されていて、受け皿本体Ａの周囲縁部１が落とし込み載承されるようになっている。
【００２４】
また、容器本体Ｂは、図５〜図７に示すように、容器周壁ｂにおける両長辺壁部ｂ−１，ｂ−２の内面に、受け皿本体Ａの浮き上がりを防ぐ係止部１５を備えている。
【００２５】
≪係止部の構成≫
係止部１５は、受け皿本体Ａの周囲縁部１が支持縦リブ１３の切欠き部１４に載承されたときに、周囲縁部１の段差部９が係止される。
この係止部１５は、図５に示すように、凹形壁部１１と凸形壁部１２とのそれぞれの内面において、壁周方向に延びる内向き突条に形成されている。そして、係止部１５は、図７に示すように、周囲縁部１が支持縦リブ１３に載承されたときに、周囲縁部１の段差部９が係止される凹形壁部ｂ−１と凸形壁部ｂ−２とのそれぞれの内面高さ位置において形成されている。
【００２６】
このように、係止部１５を備えた構成からなる受け皿本体Ａによれば、受け皿本体Ａの周囲縁部１を、段差部９を介して受け止めることができる。つまり、周囲縁部１を支持縦リブ１３と係止部１５とによる上下からの挟持状態にて受け皿本体Ａを容器本体Ｂ内に内在支持させることができる。
これにより、受け皿本体Ａが流通時の振動などによって浮き上ることを防いで、潮解性除湿剤Ｃが容器本体Ｂの下部空間Ｍ側に落下することを防ぐことができる。
【００２７】
なお、本発明の実施形態の具体的な構成は、前記した実施形態に限られるものではなく、請求項１〜４に記載の本発明の要旨を逸脱しない範囲で設計変更などがあっても本発明に含まれるものである。
例えば、受け皿本体Ａは、第１の支持面部２のみに平板状に形成することができる。また、第１の支持面部２と、この第１の支持面部２の中央部位において該第１の支持面部２から前記の実施例形態詳述の高さにて略截頭錐体形状に突設される突出部４とから形成することができる。
【００２８】
また、受け皿本体Ａの浮き上りなどを防ぐ係止部１５は、容器周壁ｂの両長辺壁部ｂ−１，ｂ−２の内面に加えて、両短辺壁部ｂ−３，ｂ−４側の内面に備えることができる。また、容器周壁ｂの内面全周に断続的に、或いは一連に備えることができる。
【符号の説明】
【００２９】
Ａ      受け蓋本体
Ｂ      容器本体
ｂ      容器周壁
Ｃ      潮解性除湿剤
１      周囲縁部
９      段差部
１０    上面開口部（容器本体）
１３    支持縦リブ
１５    係止部
【図１】
0005431855.tif 000002
【図２】
0005431855.tif 000003
【図３】
0005431855.tif 000004
【図４】
0005431855.tif 000005
【図５】
0005431855.tif 000006
【図６】
0005431855.tif 000007
【図７】
0005431855.tif 000008